(57)【要約】【課題】シャーシの生産性を高めることができるとともに、シャーシに取付けられる部品点数及び取付作業工数を削減することができ、比較的大型の光源装置のコストを低減することができる光源装置を提供する。【解決手段】枠部１の開放部を閉塞する蓋板２を有し、内部に複数のランプが配されるシャーシＡの蓋板２を、ランプを保持するクリップ５及びリフレクタ６を一体成形してなる合成樹脂製の成形板２１、及び該成形板２１と並べて配されている金属板２２，２２を備える構成とし、シャーシＡに取付けられる部品点数及び取付作業工数を削減した。【選択図】図２
2009021083.tif 000002
【特許請求の範囲】
【請求項１】
枠部及び該枠部の開放部を閉塞する蓋板を有し、内部に複数のランプが配されるシャーシと、前記蓋板に取付けられ、前記ランプを保持するクリップとを備える光源装置において、前記蓋板は、前記クリップを一体成形してなる成形板、及び該成形板と並べて配されている金属板を備えることを特徴とする光源装置。
【請求項２】
枠部及び該枠部の開放部を閉塞する蓋板を有し、内部に複数のランプが配されるシャーシを備える光源装置において、前記蓋板は、隣合う二つのランプ間に配される凸状のリフレクタを一体成形してなる成形板、及び該成形板と並べて配されている金属板を備えることを特徴とする光源装置。
【請求項３】
内部に複数のランプが配されるシャーシと、該シャーシに取付けられ、前記ランプを保持するクリップとを備える光源装置において、前記シャーシは、前記クリップを一体成形してなる第１のシャーシ分体、及び該第１のシャーシ分体と並べて配されている第２のシャーシ分体を備えることを特徴とする光源装置。
【請求項４】
内部に複数のランプが配されるシャーシを備える光源装置において、前記シャーシは、隣合う二つのランプ間に配される凸状のリフレクタを一体成形してなる第１のシャーシ分体、及び該第１のシャーシ分体と並べて配されている第２のシャーシ分体とを備えることを特徴とする光源装置。
【請求項５】
前記成形板は、隣合う二つのランプ間に配される凸状のリフレクタを一体成形してある請求項１記載の光源装置。
【請求項６】
前記蓋板は、前記成形板の両側に前記金属板を配してある請求項１、２、５のいずれか一つに記載の光源装置。
【請求項７】
前記蓋板は、前記金属板の両側に前記成形板を配してある請求項１、２、５のいずれか一つに記載の光源装置。
【請求項８】
前記成形板は、並べて配される方向の両端部に複数のクリップを配してある請求項６記載の光源装置。
【請求項９】
前記金属板の前記ランプが配される側に反射層を備え、前記成形板は高反射性を有する合成樹脂製である請求項１、２、５〜８の何れか一つに記載の光源装置
【請求項１０】
前記反射層はシートであり、前記成形板は、並べて配される方向の端部に、前記シートの端部が挿嵌される溝を有する請求項９記載の光源装置。
【請求項１１】
前記成形板は、前記ランプが配される側の面と反対側に複数の筒部を一体成形してある請求項１又は２記載の光源装置。
【発明の詳細な説明】
【技術分野】
【０００１】
本発明は液晶表示装置等の表示装置の光源として使用される光源装置に関する。
【背景技術】
【０００２】
テレビジョン等の表示装置は、画像を表示する画像表示面を前側に有する表示部の後側に光源装置が配されている。
【０００３】
光源装置は、例えば両端部に電極を有する複数本のランプと、直方体をなす枠部、該枠部の開放部を閉塞する蓋板を有し、内部に前記ランプが並置されるシャーシと、前記蓋板に開設されている複数の取付孔に取付けられ、前記ランプの中間部を保持するクリップとを備える（例えば、特許文献１参照）。
【０００４】
また、光源装置を備える表示装置の表示パネルを支持し、長方形をなす支持板の四辺部夫々に補強部材を取付ることにより支持板の剛性を高め、また、支持板に複数の切起し片を一体に成形し、この切起し片に回路部品を取付けるように構成されている表示装置も知られている（例えば、特許文献２参照）。
【０００５】
また、光源装置を備える液晶表示装置の表示パネルの周縁部を被覆する前枠体を、コ字形をなす二つの端部材と、端部材夫々の両端を連結する二つの連結部材とにより長方形に形成してなる液晶表示装置も知られている（例えば、特許文献３参照）。
【特許文献１】特開２００７−１１４５９０号公報
【特許文献２】特開２００２−６７５５号公報
【特許文献３】特開２００５−１９６２１０号公報
【発明の開示】
【発明が解決しようとする課題】
【０００６】
ところで、液晶テレビジョン等の薄型の表示装置は表示パネルが年々大型になっており、この表示パネルの大型化に伴って光源装置も大型に形成されている。
【０００７】
ところが、光源装置のシャーシは特許文献１に記載されているように全体が一体成形されているため、比較的大型の表示装置に用いられる光源装置にあっては、シャーシ成形用の超大型の金型が必要であり、シャーシの生産効率及びシャーシ生産設備に関わる費用が高くなり、シャーシの製造コスト、ひいては光源装置のコストが増加することになる。また、シャーシと別個に成形されている複数のクリップが前記蓋板の取付孔に挿嵌して取付けられるため、シャーシに取付けられる部品点数及び取付作業工数が比較的多く、改善策が要望されていた。
【０００８】
また、特許文献２のように支持板の四辺部に補強部材が取付けられているものであっても支持板成形用の超大型の金型が必要であり、また、切起し片が設けられることにより開設されている孔から光が外部に漏れることになる。
【０００９】
また、特許文献３のように液晶表示装置の前枠体だけが複数の部材で形成されているものにあっては、光源装置のシャーシが一体成形されているため、シャーシ用の超大型の金型が必要であり、特許文献１と同様の問題がある。
【００１０】
本発明は斯かる事情に鑑みてなされたものであり、主たる目的はシャーシの蓋板を、ランプを保持するクリップを一体成形してなる成形板、及び該成形板と並べて配されている金属板を備える構成とすることにより、シャーシの生産性を高めることができるとともに、シャーシに取付けられる部品点数、及び取付作業工数を削減することができ、比較的大型の光源装置のコストを低減することができる光源装置を提供することにある。
【課題を解決するための手段】
【００１１】
本発明に係る光源装置は、枠部及び該枠部の開放部を閉塞する蓋板を有し、内部に複数のランプが配されるシャーシと、前記蓋板に取付けられ、前記ランプを保持するクリップとを備える光源装置において、前記蓋板は、前記クリップを一体成形してなる成形板、及び該成形板と並べて配されている金属板を備えることを特徴とする。
この発明にあっては、シャーシの蓋板が成形板と金属板とに分けて形成されているため、シャーシの加工性、組立作業性を高めることができる。また、ランプを保持するクリップがシャーシの成形板と一体に成形されているため、シャーシに取付けられる部品点数及び取付作業工数を削減でき、比較的大形の光源装置であってもコストを低減できる。また、ランプの並置間隔が並置方向中央部と並置方向外側とで異なる場合においても、クリップをランプの並置間隔に対応した位置に正確に配することができる。
【００１２】
また、本発明に係る光源装置は、枠部及び該枠部の開放部を閉塞する蓋板を有し、内部に複数のランプが配されるシャーシを備える光源装置において、前記蓋板は、隣合う二つのランプ間に配される凸状のリフレクタを一体成形してなる成形板、及び該成形板と並べて配されている金属板を備えることを特徴とする。
この発明にあっては、シャーシの蓋板が成形板と金属板とに分けて形成されているため、シャーシの加工性、組立作業性を高めることができる。また、反射性を高めるためのリフレクタが蓋板の成形板と一体に成形されているため、シャーシに取付けられる部品点数及び取付作業工数を増やすことなく輝度を高めることができ、比較的大形の光源装置であってもコストを低減できる。
【００１３】
また、本発明に係る光源装置は、内部に複数のランプが配されるシャーシと、該シャーシに取付けられ、前記ランプを保持するクリップとを備える光源装置において、前記シャーシは、前記クリップを一体成形してなる第１のシャーシ分体、及び該第１のシャーシ分体と並べて配されている第２のシャーシ分体を備えることを特徴とする。
この発明にあっては、シャーシが第１のシャーシ分体と第２のシャーシ分体とに分けて形成されているため、シャーシの加工性、組立作業性を高めることができる。また、ランプを保持するクリップが第１のシャーシ分体と一体に成形されているため、シャーシに取付けられる部品点数及び取付作業工数を削減でき、比較的大形の光源装置であってもコストを低減できる。また、ランプの並置間隔が並置方向中央部と並置方向外側とで異なる場合においても、クリップをランプの並置間隔に対応した位置に正確に配することができる。
【００１４】
また、本発明に係る光源装置は、内部に複数のランプが配されるシャーシを備える光源装置において、前記シャーシは、隣合う二つのランプ間に配される凸状のリフレクタを一体成形してなる第１のシャーシ分体、及び該第１のシャーシ分体と並べて配されている第２のシャーシ分体とを備えることを特徴とする。
この発明にあっては、シャーシが成形板と金属板とに分けて形成されているため、シャーシの加工性、組立作業性を高めることができる。また、反射性を高めるためのリフレクタがシャーシの第１のシャーシ分体と一体に成形されているため、部品点数を増やすことなく輝度を高めることができ、比較的大形の光源装置であってもコストを低減できる。
【００１５】
また、本発明に係る光源装置は、前記成形板は、隣合う二つのランプ間に配される凸状のリフレクタを一体成形してある構成とするのが好ましい。
この発明にあっては、成形板と金属板とに分けて形成されている蓋板の成形板にクリップ及びリフレクタが一体成形されているため、部品点数を増やすことなく輝度を高めることができるとともに、シャーシに取付けられる部品点数及び取付作業工数を削減でき、比較的大形の光源装置であってもコストをより一層低減できる。
【００１６】
また、本発明に係る光源装置は、前記蓋板は、前記成形板の両側に前記金属板を配してある構成とするのが好ましい。
この発明にあっては、両側の金属板により成形板を保護することができるため、蓋板の剛性を高めることができる。
【００１７】
また、本発明に係る光源装置は、前記蓋板は、前記金属板の両側に前記成形板を配してある構成とするのが好ましい。
この発明にあっては、金属板の両側に配してある成形板を対称に成形することが可能であるため、成形板の加工性、ひいてはシャーシの加工性、組立作業性を高めることができる。
【００１８】
また、本発明に係る光源装置は、前記成形板は、並べて配される方向の両端部に複数のクリップを配してある構成とするのが好ましい。
この発明にあっては、ランプの離隔する２箇所を二つのクリップで保持することができ、また、ランプの並置間隔が異なる光源装置であっても、ランプを並置方向へ撓ませることなくランプの離隔する２箇所を保持することができる。
【００１９】
また、本発明に係る光源装置は、前記金属板の前記ランプが配される側に反射層を備え、前記成形板は高反射性を有する合成樹脂製である構成とするのが好ましい。
この発明にあっては、成形体の反射性が比較的高いため、成形体のランプが配される側の反射層をなくすることが可能であり、シャーシの内側に設けられる反射層の面積を少なくすることができ、コストを低減できる。
【００２０】
また、本発明に係る光源装置は、前記反射層はシートであり、前記成形板は、並べて配される方向の端部に、前記シートの端部が挿嵌される溝を有する構成とするのが好ましい。
この発明にあっては、反射層のシートの端部を溝に挿嵌する簡易な作業でシートの移動を規制することができ、また、シートの移動規制用の部品が必要でなく、シートの組込作業性を高めることができる。
【００２１】
また、本発明に係る光源装置は、前記成形板は、前記ランプが配される側の面と反対側に複数の筒部を一体成形してある構成とするのが好ましい。
この発明にあっては、シャーシの外面に取付けられる回路基板を、成形板の筒部に取付けることができ、また、成形板を貫通する孔を発生させることなく筒部が設けられているため、ランプが発生する光が筒部の周りから漏れることがない。
【発明の効果】
【００２２】
本発明によれば、シャーシの蓋板が成形板と金属板とに分けて形成されているため、比較的大形の光源装置であってもシャーシの加工性、組立作業性を高めることができ、しかも、シャーシに取付けられる部品点数及び取付作業工数を削減でき、コストを低減できる。また、ランプの並置間隔が異なる場合においても、クリップをランプの並置間隔に対応した位置に正確に配することができる。
【００２３】
また、本発明によれば、部品点数を増やすことなく輝度を高めることができ、輝度を高めるために必要なコストを低減できる。
【００２４】
また、本発明によれば、クリップを一体成形してなる第１のシャーシ分体と、第２のシャーシ分体とに分けてシャーシが形成されているため、比較的大形の光源装置であってもシャーシの加工性、組立作業性を高めることができ、しかも、シャーシに取付けられる部品点数及び取付作業工数を削減でき、コストを低減できる。
【発明を実施するための最良の形態】
【００２５】
以下本発明をその実施の形態を示す図面に基づいて詳述する。
実施の形態１
図１は表示装置に組込まれている本発明に係る光源装置の構成を示す正面図、図２は本発明に係る光源装置のシャーシの構成を示す正面図、図３は図１のIII −III 線の拡大断面図、図４は図１のIV−IV線の拡大断面図である。
【００２６】
図示した光源装置は、前側に表示面を有し、略直方体をなす表示部を備える薄型の表示装置における前記表示部の後側に装着されるもので、枠部１及び蓋板２を有し、前側が開放されている箱形をなすシャーシＡと、直管形をなし、シャーシＡ内に上下に離隔して並置される複数本のランプ３と、該ランプ３の両端部を枠部１の内側に保持するランプホルダ４，４と、前記ランプ３の中間部を蓋板２に保持する複数のクリップ５と、シャーシＡ内に配置され、ランプ３の放射光をシャーシＡの開放部側に反射させるべき複数のリフレクタ６及び二つの反射シート７とを備え、蓋板２の外面にインバータ回路基板等の複数の回路基板が取付けられる。
【００２７】
ランプ３は両端部に電極を有する冷陰極管であり、夫々のランプ３の電極にインバータ回路基板が接続され、パルス幅変調信号により明るさが制御されるように構成されている。
【００２８】
シャーシＡは直方体をなす枠部１、周縁部が枠部１に結合され、該枠部１の後側端を閉塞する蓋板２とを有する。枠部１の後側端には複数の螺子孔が周方向に離隔して開設されている。蓋板２は該蓋板２の面に沿ってランプ３の長手方向に並置される成形板２１、及び二つの金属板２２，２２とを有し、成形板２１を中央に配し、成形板２１の両側に金属板２２，２２を配してあり、枠部１に対応して長方形に形成されている。
【００２９】
成形板２１は高反射性を有する合成樹脂材料により射出成形され、反射シート７がなくとも反射性の高い面が得られるように構成されている。成形板２１のランプ３側の一面には、クリップ５、リフレクタ６、及び反射シート７の移動を規制する規制凸部２３が一体に成形され、他面には、回路基板１０が取付けられる複数の筒部２４が一体に成形されている。また、成形板２１の金属板２２，２２と対向する両端部を除く二辺部には枠部１の前記螺子孔に対応する挿通孔が開設されている。
【００３０】
クリップ５はランプ３を保持する二つの保持片５ａ，５ａを有し、ランプ３の並置間隔に対応した間隔で成形板２１の両端部に突設され、二つの保持片５ａ，５ａの間にランプ３を嵌め込むことにより保持することができるように構成されている。
【００３１】
リフレクタ６は断面Ｖ字形の凸条をなし、隣合うランプ３間に該ランプ３の長手方向に沿って配され、反射性の高い面になっている。
【００３２】
規制凸部２３はリフレクタ６夫々の長手方向両側に配され、金属板２２，２２に臨む側に、反射シート７の端部が挿嵌される溝２３ａが設けられている。
【００３３】
筒部２４は回路基板１０の台座を兼ね、内側に螺子孔が設けられ、該螺子孔に捩込まれる雄螺子により回路基板１０を筒部２４に取付けることができるように構成されている。
【００３４】
成形板２１の成形は、上型及び下型と、上型及び下型が離隔する方向と直交する方向へのスライドが可能なスライド型とにより成形される。
【００３５】
金属板２２，２２は鉄板を長方形にプレス成形してなり、成形板２１の両端と突合うように配置されている。金属板２２，２２の成形板２１と対向する一辺部を除く三辺部には枠部１の前記螺子孔に対応する挿通孔が開設されており、また、成形板２１と反対側には前記インバータ回路基板が取付けられる。
【００３６】
ランプホルダ４は、高反射性を有する合成樹脂材料により成形されており、反射シート７がなくとも反射性の高い面が得られるように構成されている。ランプホルダ４は金属板２２，２２に対して立上り、ランプ３の並置間隔に対応する箇所に凹部を有する立上板部と、該立上板部の先端に連なり、枠部１の開放縁に向けて延出された扁平板部とを有し、ランプ３の両端部を保持するとともに、ランプ３の両端部での輝度を高めることができるようになっている。
【００３７】
反射シート７は金属板２２，２２及び成形板２１の両端部に重ねて配され、成形板２１側の端部が規制凸部２３の溝２３ａに挿嵌され成形板２１の両端縁を隠蔽してある。また、反射シート７は規制凸部２３とランプホルダ４との間に配される大きさに形成されている。
【００３８】
以上のように構成された光源装置のシャーシＡは、合成樹脂製の成形板２１が枠部１の長手方向中央部に載置され、二つの金属板２２，２２が枠部１の両側部に載置され、成形板２１及び金属板２２，２２の縁部に開設されている挿通孔に挿通される雄螺子を枠部１の螺子孔に捩込むことにより箱形のシャーシＡが形成される。この際、ランプ３の中間部を保持する複数のクリップ５と、隣合うランプ３間に配されてシャーシＡ内での輝度を高めるための複数のリフレクタ６と、反射シート７，７の移動を規制する規制凸部２３とは成形板２１と一体に成形されているため、部品点数を削減することができ、クリップ５、リフレクタ６及び規制凸部２３の取付作業をなくすることができ、組立作業性を高めることができる。また、回路基板１０が取付けられる複数の筒部２４は成形板２１と一体に成形されており、筒部２４の周りに貫通する孔が開設されないため、シャーシＡ内の光が蓋板２からシャーシＡの外部に漏れるのを防ぐことができる。
【００３９】
シャーシＡ内には二つの反射シート７，７が金属板２２，２２に重ねて配置されており、成形板２１は反射性の高い面になっているため、成形板２１と重なる箇所に反射シート７を設けることなく、シャーシＡ内での反射性を高めることができ、また、シャーシＡの大きさに対して反射シート７を比較的小形にでき、反射シート７のコスト、ひいては光源装置のコストを低減できる。
【００４０】
実施の形態２
図５は光源装置のシャーシの他の構成を示す斜視図である。この光源装置は、実施の形態１のように枠部１及び蓋板２を有するシャーシＡの蓋板２が成形板２１及び二つの金属板２２，２２により形成されている構成とする代わりに、シャーシＢ自体が合成樹脂製の第１のシャーシ分体８と、金属板を成形してなる二つの第２のシャーシ分体９，９とにより形成され、クリップ５、リフレクタ６、規制凸部２３及び筒部２４が第１のシャーシ分体８と一体に成形されている構成としたものである。
【００４１】
シャーシＢは略長方形をなし、ランプ３の長手方向中央に配されている第１の板部８１の二つの縁から内部側へ屈曲する二つの屈曲片８２を有する第１のシャーシ分体８と、両側に配されている二つの第２の板部９１，９１の三つの縁から内部側へ屈曲する三つの屈曲片９２を有する二つの第２のシャーシ分体９，９とを備え、各シャーシ分体８，９，９の屈曲片８２，９２，９２が枠形をなすように第１及び第２のシャーシ分体８，９，９の端部同士が連結手段により連結される。
【００４２】
第１のシャーシ分体８は高い反射性を有する合成樹脂製であり、上型及び下型と、上型及び下型が離隔する方向と直交する方向へのスライドが可能なスライド型とにより射出成形される。また、第２のシャーシ分体９，９はプレス成形される。
【００４３】
以上のように構成された光源装置は、第１のシャーシ分体８の板部８１が実施の形態１の成形板２１と同様に構成され、第２のシャーシ分体９，９の板部９１，９１が実施の形態１の金属板２２，２２と同様に構成されている。
その他の構成及び作用は実施の形態１と同様であるため、同様の部品については同じ符号を付し、その詳細な説明及び作用効果の説明を省略する。
【００４４】
尚、以上説明した実施の形態では、成形板２１及び第１のシャーシ分体８を中央部に配し、両側に金属板２２，２２及び第２のシャーシ分体９，９を配したが、その他、中央部に金属板２２及び第２のシャーシ分体９を配し、両側に成形板２１及び第１のシャーシ分体８を配置してもよい。この場合、クリップ５、リフレクタ６、規制凸部２３及び筒部２４は、二つの成形板２１，２１、二つの第１のシャーシ分体８，８と一体に成形される。
【００４５】
また、シャーシＡは合成樹脂製の成形板２１と二つの金属板２２，２２とを有する構成、又は合成樹脂製の第１のシャーシ分体８と二つの第２のシャーシ分体９，９とを有する構成としたが、その他、成形板２１及び金属板２２、第１及び第２のシャーシ分体８，９は夫々が一つ、又は三つ以上であってもよい。
【００４６】
また、成形板２１及び金属板２２は対向する端部を例えば帯状板等の連結部材で連結してもよい。また、第１及び第２のシャーシ分体８，９は対向する端部を例えば帯状板等の連結部材で連結してもよい。
【図面の簡単な説明】
【００４７】
【図１】表示装置に組込まれている本発明に係る光源装置の構成を示す正面図である。
【図２】本発明に係る光源装置のシャーシの構成を示す正面図である。
【図３】図１のIII −III 線の拡大断面図である。
【図４】図１のIV−IV線の拡大断面図である。
【図５】光源装置のシャーシの他の構成を示す斜視図である。
【符号の説明】
【００４８】
Ａ，Ｂ  シャーシ
１    枠部
２    蓋板
２１  成形板
２２  金属板
２３  規制凸部
２３ａ  溝
３    ランプ
５    クリップ
６    リフレクタ
７    反射シート（反射層）
８    第１のシャーシ分体
９    第２のシャーシ分体
【図１】
2009021083.tif 000003
【図２】
2009021083.tif 000004
【図３】
2009021083.tif 000005
【図４】
2009021083.tif 000006
【図５】
2009021083.tif 000007